(57)【要約】  【課題】テレビジョン受信部に対するリモートコントロール用の装置のディスプレイにテレビジョン放送のチャンネルとインターネットから取得可能なコンテンツとのリストを表示し、選択可能とする。  【解決手段】ディスプレイのＬＣＤ上に受信可能なディジタル放送のチャンネルと、ストリーミングデータとのリストが表示される。放送とインターネットとを区別せずに表示するので、視聴するコンテンツの選択が容易となる。表示をリモートコントロール用画面に切り替えてテレビジョン受信部に対するリモートコントロールを行うことができる。【選択図】図５
2010263636.tif 000002
【特許請求の範囲】
【請求項１】
ディスプレイと、
前記ディスプレイに関連して設けられたタッチパネルと、
無線通信部と、
信号処理部とを備え、
視聴可能なテレビジョン放送のチャンネルと、インターネットから前記無線通信部を介して取得可能なコンテンツとのリストを前記ディスプレイに表示する第１の表示モードと、テレビジョン受信部のリモートコントロールを行うための画面を前記ディスプレイに表示する第２の表示モードとが切り替えられ、
前記第１の表示モードにおいて、前記タッチパネルによって、所望の前記チャンネルおよび前記コンテンツの何れかを選択し、選択された前記チャンネルのテレビジョン放送の受信信号および選択された前記コンテンツのストリーミングデータの何れかを前記信号処理部によって、復号して前記ディスプレイに表示し、
前記第２の表示モードにおいて、前記タッチパネルによって、所望の制御を選択し、選択された制御に対応するリモートコントロールコントロールを、前記テレビジョン受信部に対して送信するようになされた情報処理装置。
【請求項２】
前記第１の表示モードにおいて、前記リストと共に、電源のオンオフ制御並びに音量調整の表示を行う請求項１記載の情報処理装置。
【請求項３】
前記第１の表示モードおよび前記第２の表示モードのそれぞれにおける表示画面のデータをインターネットから前記無線通信部を介して取得する請求項１または２記載の情報処理装置。
【請求項４】
ブラウザの機能が搭載され、インターネットの閲覧を行うようになされた請求項１、２または３記載の情報処理装置。
【発明の詳細な説明】
【技術分野】
【０００１】
この発明は、テレビジョン受信部をリモートコントロールすると共に、テレビジョン放送の視聴およびインターネット上のコンテンツの閲覧を行う情報処理装置に関する。
【背景技術】
【０００２】
最近では、インターネットに高速にアクセスするネットワーク手段であるブロードバンドが急速に台頭している。ブロードバンドの具体例は、ＣＡＴＶ(cable television)を使用したケーブルインターネット、ＡＤＳＬ(Asymmetric Digital Subscriber Line)、ＦＴＴＨ(Fiber To The Home) 等である。また、ストリーミング・ビデオの符号化方式として、ＭＰＥＧ４(Moving Picture Experts Group Phase 4)、Windows （登録商標）Media Player,RealVideo等が提案され、それらの開発が進んでいる。その結果、家庭における受信装置は、放送電波を介して提供される番組以外に、ブロードバンドを介して提供されるストリーミングコンテンツも視聴できることが望まれている。
【０００３】
従来では、テレビジョン放送とインターネット端末を組み合わせた商品が存在していたが、ブロードバンド対応ではなく、ストリーミングコンテンツを視聴できなかった。テレビジョン放送番組およびストリーミングコンテンツの両方を視聴可能とした場合に、この発明では、視聴のための操作性を向上させる目的で、１次ディスプレイに加えて２次ディスプレイが使用される。
【０００４】
従来、ディジタル放送受信機として、大型のスクリーンを有するディスプレイ本体と別に小型のディスプレイを有する補助入出力装置を設け、ディスプレイ本体と補助入出力装置とが無線で接続された構成が下記の特許文献１に記載されている。特許文献１に記載の装置は、補助入出力装置がスクリーン上にタッチパネルが配された構成とされ、受信テレビジョン放送から分離された電子番組表を補助入出力装置上に表示し、所望の番組を選択したり、所望の番組の録画予約を行う操作を補助入出力装置のタッチパネルを通じて行うものである。
【先行技術文献】
【特許文献】
【０００５】
【特許文献１】特開２００１−２０３９０８号公報
【発明の概要】
【発明が解決しようとする課題】
【０００６】
解決しようとする問題点は、持ち運びできる２次ディスプレイ自身がテレビジョン放送番組およびストリーミングコンテンツの両方を視聴可能であり、さらに、テレビジョン受信部をリモートコントロールすることができる情報処理装置を提供することにある。
【課題を解決するための手段】
【０００７】
上述した課題を解決するために、この発明は、
ディスプレイと、
ディスプレイに関連して設けられたタッチパネルと、
無線通信部と、
信号処理部とを備え、
視聴可能なテレビジョン放送のチャンネルと、インターネットから無線通信部を介して取得可能なコンテンツとのリストをディスプレイに表示する第１の表示モードと、テレビジョン受信部のリモートコントロールを行うための画面をディスプレイに表示する第２の表示モードとが切り替えられ、
第１の表示モードにおいて、タッチパネルによって、所望のチャンネルおよびコンテンツの何れかを選択し、選択されたチャンネルのテレビジョン放送の受信信号および選択されたコンテンツのストリーミングデータの何れかを信号処理部によって、復号してディスプレイに表示し、
第２の表示モードにおいて、タッチパネルによって、所望の制御を選択し、選択された制御に対応するリモートコントロールコントロールを、テレビジョン受信部に対して送信するようになされた情報処理装置である。
【発明の効果】
【０００８】
この発明では、ディスプレイに視聴可能なテレビジョン放送のチャンネルと、インターネットから無線通信部を介して取得可能なコンテンツとのリストを表示するので、放送およびインターネット上のコンテンツを区別せずに選択可能となる。視聴するコンテンツの選択画面と、リモートコントロール用の画面とを切り替えるので、それぞれの画面操作が容易となる。
【図面の簡単な説明】
【０００９】
【図１】この発明の一実施形態のシステム構成を示すブロック図である。
【図２】この発明の一実施形態のより詳細な構成を示すブロック図である。
【図３】この発明の一実施形態の画面の表示例の説明に用いる略線図である。
【図４】メニュー表示で選択されたメニューに対応する表示例を示す略線図である。
【図５】メニュー表示で選択されたメニューに対応する表示例を示す略線図である。
【図６】メニュー表示で選択されたメニューに対応する表示例を示す略線図である。
【発明を実施するための形態】
【００１０】
以下、この発明の一実施形態について、図面を参照して説明する。図１において、参照符号１がこの発明が適用された表示システムの全体を示す。参照符号２がＰＤＰ(Plasma
Display Panel)、ＬＣＤ（Liquid Crystal Display) 等の大型の表示パネルを有する第１の表示部（以下、１次ディスプレイと適宜称する）を示し、参照符号３が小型な第２のディスプレイ（以下、２次ディスプレイと適宜称する）を示す。２次ディスプレイ３は、小型例えば７インチのＬＣＤにタッチパネルが積層された構成とされ、置き台（以下、クレードルと適宜称する）４上に置かれ、必要に応じてユーザが持ち運び可能とされている。以下の説明では、２次ディスプレイ３は、ＬＣＤ、タッチパネルのみならず、１次ディスプレイ側との通信、圧縮／伸張処理、システム制御等のための構成も含む用語として使用されている。さらに、２次ディスプレイ３の表示画面の周辺部にカメラ部１２が設けられている。カメラ部１２は、ＣＣＤ（Charge Coupled Device)等の固体撮像素子を使用したものである。表示画面に向いたユーザの顔が撮影されるようになされている。２次ディスプレイ３は、カメラ部１２の撮像信号の処理部も備えている。
【００１１】
１次ディスプレイ２に対してメディアレシーバ５を通じて表示すべき映像信号が供給される。映像信号は、放送信号またはインターネットを介して配信されるストリーミングデータである。放送信号は、アンテナ６で受信され、ストリーミングデータは、スイッチ７で分岐され、ＬＡＮ(Local Area Network)を介してメディアレシーバ５に供給される。スイッチ７の他の分岐に対してパーソナルコンピュータ８が接続されている。
【００１２】
インターネット１０を介して配信されたストリーミングデータがＡＤＳＬ(Asymmetric
Digital Subscriber Line)ＭＯＤＥＭ(modulator-demodulator) ９のＷＡＮ(Wide Area Network) 側に入力され、ＭＯＤＥＭ９のＬＡＮ側にスイッチ７が接続される。ＡＤＳＬは、ブロードバンド接続の一例であり、外にＣＡＴＶ(cable television)、ＦＴＴＨ(Fiber To The Home) 等を使用したブロードバンド接続を介して映像コンテンツを受信するよう
にしても良い。さらに、ＩＰ(Internet Protocol) ストリーミング放送を利用してストリ
ーミングデータを得るようにすることも可能である。なお、通常は、映像コンテンツに音声データが付随している。
【００１３】
メディアレシーバ５は、１次ディスプレイ２および２次ディスプレイ３のそれぞれに対して別々のテレビジョン放送番組を供給することを可能とするために、２個のチューナを有する。メディアレシーバ５は、無線ＬＡＮのアクセスポイント１１を介して２次ディスプレイ３に対して映像信号を送信する。一方、２次ディスプレイ３からアクセスポイント１１に対して、リモコン信号等の制御用データを送信でき、双方向通信が可能とされている。例えばＩＥＥＥ(Institute of Electrical and Electronics Engineers)802.11 の無線方式を使用でき、その中の例えば802.11a の規格を使用できる。この規格は、5.2 ＧHzの周波数を使用し、最大で５４Ｍbps の伝送速度を実現できるものである。
【００１４】
図２は、１次ディスプレイ２および２次ディスプレイ３からなる表示システムの一例の構成をより詳細に示すものである。１次ディスプレイ２は、例えば３０インチ以上の比較的大型の表示パネル２１とその駆動部（図示しない）を備える。
【００１５】
メディアレシーバ５には、地上波受信用のメインチューナ２２ａおよびサブチューナ２２ｂが含まれる。参照符号２３は、ＢＳ(Broadcasting Satellite)および１１０°ＣＳ(Communicaton Satellite)受信用のディジタルチューナである。図示が省略されているが、チューナ２２ａおよび２２ｂには、ＵＨＦ／ＶＨＦアンテナの出力が供給され、ディジタルチューナ２３には、ＢＳ／１１０°ＣＳ受信用のパラボラアンテナの出力が供給される。一実施形態では、メインチューナ２２ａが１次ディスプレイ２のために使用され、サブチューナ２２ｂが２次ディスプレイ３のために使用される。
【００１６】
メインチューナ２２ａおよびサブチューナ２２ｂのそれぞれ映像信号がＡＶスイッチ２４に供給される。ＡＶスイッチ２４の出力映像信号が画像処理部２５および信号処理部３２に対して入力される。画像処理部２５は、解像度をより高める等の画質を改善するための画像処理を行う。
【００１７】
画像処理部２５の出力信号がディスプレイインターフェースである、ＤＶＩ(Digital Visual Interface)２６を介して１次ディスプレイ２の表示パネル２１に対して入力される。ＤＶＩ２６の前段には、図示しないが、表示パネル２１の画質調整回路が設けられている。さらに、表示パネル２１に対してディジタル映像信号を供給する場合に、放送コンテンツの不正なコピーを防止するコピー防止信号も出力される。例えばＨＤＣＰ(High bandwith Digital Content Protection)をコピーを防止するために使用することができる。
【００１８】
ディジタルチューナ２３の出力信号がビデオデコーダ２７に対して入力される。例えばＭＰＥＧ２(Moving Picture Experts Group Phase 2)の復号がビデオデコーダ２７によってなされる。ビデオデコーダ２７からのＨＤ(HIgh Definition) 映像信号が画像処理部２５に供給され、ＤＶＩ２６を介して表示パネル２１に対して入力される。
【００１９】
ビデオデコーダ２７は、ＳＤ(Standard Definition) 映像信号例えば４８０Ｉ（有効ライン数が４８０本のインタレース信号）を信号処理部３２に対して出力する機能を有する。なお、参照符号２８は、１次ディスプレイ２およびメディアレシーバ５の動作を制御するシステムコントローラであり、ＣＰＵ(Central Processing Unit) から構成されている。例えばシステムコントローラ２８は、メインチューナ２２ａおよびサブチューナ２２ｂの両者の選局状態をそれぞれ制御し、制御のために各チューナの現在の選局状態の情報を持っている。
【００２０】
インターネットを介して受け取ったストリーミングデータおよびホームページ等のＨＴＭＬ(Hypertext Markup Language) コンテンツのデータがＬＡＮ３１を介して信号処理部
３２に対して供給される。信号処理部３２は、二つのＤＳＰ(Digital Signal Processor)３３および３４がバス例えばＰＣＩ(Peripheral Component Interconnect) ３５に接続され、ＣＰＵで構成されているコントローラ３６がブリッジ３７を介してＰＣＩ３５に接続されている。
【００２１】
信号処理部３２は、入力されたストリーミングデータの復号（例えばＭＰＥＧ４(Moving Picture Experts Group Phase 4)、Windows （登録商標）Media Player,RealVideo等の
符号化の復号）を行う。復号された映像信号が画像処理部２５に供給され、１次ディスプレイ２によって表示される。したがって、１次ディスプレイ２では、メインチューナ２２ａおよびディジタルチューナ２３のそれぞれからの放送信号を表示でき、また、ブロードバンドを介して受け取ったＨＴＭＬコンテンツおよびストリーミングコンテンツを表示できる。なお、メディアレシーバ５は、ＬＡＮ３１を介してインターネット３１に対して映像データまたは音声データを送信可能とされている。
【００２２】
信号処理部３２は、サブチューナ２２ｂおよびディジタルチューナ２３からの映像信号を暗号化し、さらに、暗号化した映像信号を無線で送信可能なフォーマットに変換し、アクセスポイント１１を介して２次ディスプレイ３に送出する。ブロードバンドを介して受信したストリーミングコンテンツを２次ディスプレイ３において表示する時には、信号処理部３２では、復号がなされず、ストリーミング圧縮フォーマットにて圧縮された状態のまま、すなわち、スルーでアクセスポイント１１を介して２次ディスプレイ３に対して送出する。一方、アクセスポイント１１で受信された２次ディスプレイ３からのリモコン信号等の制御信号を処理し、１次ディスプレイ側のシステムコントローラ２８に対して送出する。この場合、ストリーミングコンテンツの復号処理は、２次ディスプレイ３においてなされる。
【００２３】
２次ディスプレイ３は、アクセスポイント１１と無線通信を行う送受信機４１を有し、送受信機４１に対して信号処理部４２が接続されている。信号処理部４２は、２次ディスプレイ３の動作を制御するシステムコントローラ４３とＤＳＰ４４がＰＣＩ４５を介して接続された構成とされている。
【００２４】
信号処理部４２に対して、カメラ部１２と、表示パネル例えばＬＣＤ４６と、ＬＣＤ４６の画面に積層された透明なタッチパネル４７と、スピーカ４８と、メモリカード４９とが接続されている。さらに、電源としてのバッテリ５０が設けられている。バッテリ５０は、例えばクレードル４（図１参照）内に収納された充電回路によって充電可能とされている。信号処理部４２は、アクセスポイント１１から受信した暗号化映像信号を復号し、また、インターネットを介して受信したデータを復号し、復号信号をＬＣＤ４６に表示する。さらに、タッチパネル４７の操作で発生したリモコン信号、コマンド等を１次ディスプレイ２側に送信する。さらに、メモリカード４９に格納されている静止画データを復号し、ＬＣＤ４６に表示する機能を有している。
【００２５】
よりさらに、カメラ部１２で撮影した画像データを無線ＬＡＮおよびメディアレシーバ５を介してインターネット上の相手に送信することが可能とされている。カメラ部１２からの入力信号が信号処理部４２に入力され、信号処理部４２において、ＭＰＥＧ２、ＭＰＥＧ４等のディジタル圧縮符号化によって符号化され、圧縮信号が無線ＬＡＮでメディアレシーバ５に伝送され、インターネット上の相手に伝送される。この場合、図２では省略されているが、マイクロホンを２次ディスプレイ３が備え、画像と共に、マイクロホンから入力された音声データを映像データと共に相手に通信可能とされ、また、相手からの映像データおよび音声データをインターネットを介して受信し、復号してＬＣＤ４６およびスピーカ４８によって再生可能に構成されている。このように、映像データおよび音声データの双方向通信によって、所謂テレビ電話の機能を持つようにされている。
【００２６】
カメラ部１２で撮影した静止画像または動画像を伝送する相手は、一実施形態と同様の構成の２つのディスプレイシステムを有する受信装置を持つ者、またはカメラ付き携帯電話、ＰＤＡ等の他のカメラ機能を有する携帯情報端末を持つ者である。
【００２７】
上述したこの発明の一実施形態による表示システムの動作について以下に説明する。メインチューナ２２ａにて復調されたベースバンドのアナログ映像信号は、ディジタル信号に変換されて、画像処理部２５で画質改善の処理、並びにインタレース・プログレッシブ変換の処理を受けた後にＤＶＩ２６を介して表示パネル２１に対して出力される。
【００２８】
また、サブチューナ２２ｂにて復調されたベースバンドアナログ信号は、信号処理部３２に供給され、ディジタル信号に変換されてからＭＰＥＧ２、ＭＰＥＧ４等のディジタル圧縮フォーマットで圧縮される。そして、圧縮映像信号が暗号化の処理を受けてからアクセスポイント１１を介して無線ＬＡＮで２次ディスプレイ３に対して送信される。２次ディスプレイ３の信号処理部４２にて暗号化の復号、および伸張処理を受け、ＬＣＤ４６にて表示される。
【００２９】
入力ソースがディジタル放送信号の場合では、ディジタルチューナ２３にディジタル放送信号が入力され、ディジタルチューナ２３のディジタルフロントエンドブロックにて復調された後にビデオデコーダ２７でディジタルビデオ信号が復号される。ディジタルビデオ信号が画像処理部２５およびＤＶＩ２６を介して表示パネル２１に表示される。
【００３０】
ビデオデコーダ２７から出力されるＳＤ信号例えば４８０Ｉの映像信号は、信号処理部３２に送られ、信号処理部３２によってディジタル圧縮フォーマットにて圧縮され、暗号化される。そして、無線ＬＡＮのアクセスポイント１１から２次ディスプレイ３に対して送信される。また、入力ソースがＨＤ信号の場合では、ＳＤ信号例えば４８０Ｉの映像信号へダウンコンバートしてから信号処理部３２に対して送る。ダウンコンバートは、ディジタル放送コンテンツの著作権保護のために行う処理である。
【００３１】
入力ソースがインターネットからのストリーミングコンテンツの場合では、ＬＡＮ３１から入力された信号が信号処理部３２において、ストリーミング圧縮フォーマット（ＭＰＥＧ４、Windows （登録商標）Media Player,RealVideo等）に応じてストリーミングデコ
ード処理がなされ、画像処理部２５およびＤＶＩ２６を介して表示パネル２１に対して送られる。
【００３２】
また、２次ディスプレイ３においてストリーミングコンテンツを表示する場合には、信号処理部３２においてデコード処理を受けずに、ストリーミング圧縮フォーマットで圧縮された状態のままで、無線ＬＡＮによって２次ディスプレイ３に対して送出される。そして、２次ディスプレイ３の信号処理部４２によってストリーミング圧縮の復号処理がなされ、ＬＣＤ４６に復号された映像が表示されると共に、復号された音声がスピーカ４８により再生される。この処理によって、ストリーミングコンテンツの復号および再符号化の処理によるコンテンツの劣化を防止することができる。
【００３３】
この発明の一実施形態による受信システムにおいては、以下に述べるように、著作権保護がなされる。最初にアナログ放送信号のコンテンツに関しては、そのコンテンツがアナログコピーを制限するものであれば、２次ディスプレイ３に送出する前に、信号処理部３２において、ディジタル圧縮し、さらに、コンテンツ保護対策として、暗号化方法例えば３ＤＥＳ(Data Encryption Standard)、ＡＥＳ(Advanced Encryption Standard)等によって暗号化する。例えばマクロビジョン方式のコピー制限信号がアナログ映像信号に対して付加されている場合には、アナログコピーが制限される。
【００３４】
さらに、伝送系の保護対策として、無線ＬＡＮの伝送で使用されている暗号化方法で伝送路上の暗号化を施す。例えばＲＣ４((Rivest Cipher) 4 Stream Cipher) が無線ＬＡＮ(IEEE 802.11) において使用され、暗号鍵の生成アルゴリズムとしてＷＥＰ(Wired Equivalent Privacy protocol) が使用される。ＷＥＰでは、ＩＶ(Initial Vector)と共通鍵から暗号鍵を生成して、ネットワークのパケットが暗号化されている。このように、コンテンツ保護対策の第１の暗号化と、伝送系の保護対策の第２の暗号化とをアナログ放送信号のコンテンツに対して施す。
【００３５】
２次ディスプレイ３側では、１次側と通信の上で認証を行った上で、無線ＬＡＮの送受信機４１にて伝送路上の暗号化を復号し、さらに、信号処理部４２において、コンテンツ保護用の暗号化を復号するようになされる。２次ディスプレイ３がアナログ録画機能を有している場合には、マクロビジョン信号を検出することによって録画前に録画制限をかけることができる。また、２次ディスプレイ３が外部出力インターフェースを有する場合には、マクロビジョン信号を付加したままでアナログ映像信号を出力することによって、外部の記録機器に対して同様にコピー制限を行うことができる。
【００３６】
次に、ディジタル放送信号のコンテンツに関する著作権保護について説明する。一実施形態では、一つのディジタルチューナ２３が設けられている例である。この例では、著作権保護の機能を有するコンディショナルアクセスの機構が一つ（具体的には、ＩＣカードが１枚）であり、ディジタルチューナ２３において暗号化が復号されたデータがビデオデコーダ２７を通って１次ディスプレイ２に出力される。コンディショナルアクセスの機構は、ディジタルチューナの数に依存する。異なったディジタル放送コンテンツを１次ディスプレイ２および２次ディスプレイ３において同時に視聴するために、それぞれがコンディショナルアクセスの機構を有する２個のディジタルチューナを設けても良い。
【００３７】
さらに、上述したように、ディジタル放送信号のコンテンツを２次ディスプレイ３で視聴する場合では、ディジタル圧縮されたままの信号を２次ディスプレイ３に送出せずに、一旦ビデオデコーダ２７で復号したアナログ信号を信号処理部３２に供給し、信号処理部３２において、家庭内の伝送に適した圧縮方式で再符号化し、アナログ放送信号の著作権保護と同様に、コンテンツ保護のための暗号化と、伝送保護のための暗号化との二重の暗号化を施して２次ディスプレイ３に送出する。また、ディジタル放送のＨＤコンテンツの場合では、４８０ＩのＳＤコンテンツにダウンコンバートされて２次ディスプレイ３に送出されるので、仮に暗号が解読されてもＨＤコンテンツの著作権を実質的に保護することができる。このように、メディアレシーバ５（１次ディスプレイ２）および２次ディスプレイ３の間で伝送されるコンテンツの著作権保護を高い安全性でもってなしうる。
【００３８】
テレビジョン放送番組の関連情報例えばドラマに関するあらすじ、出演者等をインターネット上の所定のＵＲＬ(Uniform Resource Locator)のサイトで閲覧可能とされている。１次ディスプレイ側のメディアレシーバ５のシステムコントローラ２８は、メインチューナ２２ａを制御するために、メインチューナ２２ａの現在の選局状態に関する選局情報を有している。この選局情報が２次ディスプレイ３の信号処理部４２のシステムコントローラ４３に対して送出される。
【００３９】
２次ディスプレイ３には、インターネット情報の閲覧・表示のためのブラウザと、番組およびＵＲＬの対応関係を示すデータベースとが搭載されている。１次ディスプレイ５から受け取った選局情報例えば選局チャンネルと現在時刻の情報から視聴中の番組が分かり、データベースからその番組の関連サイトのＵＲＬが分かる。そして、インターネット１０を介してそのサイトにアクセスし、視聴中の番組の関連情報を取得し、２次ディスプレイ３に表示する。すなわち、１次ディスプレイの大型の表示パネル２１に放送番組を表示しながら、２次ディスプレイ３のＬＣＤ４６に視聴中の放送番組の関連情報を表示することができる。表示パネル２１の画面には、関連情報を表示しないので、関連情報によって番組の視聴が妨げられるおそれがなく、また、手元のＬＣＤ４６で関連情報を見るので、小さな文字を容易にみることができる。
【００４０】
なお、放送信号中に含まれる関連情報のアクセスに必要な信号を検出し、検出した信号に基づいて関連情報のサイトにアクセスするようにしても良い。例えば放送局から番組送出時にトリガーとなるデータ信号を送出し、このデータ信号を検出することによって自動的に関連するサイトのＵＲＬを検出するようにしても良い。
【００４１】
上述した表示システムにおいて、視聴する放送番組の選択や、インターネットのコンテンツの選択は、タッチパネル４７を使用したＧＵＩ(Graphical User Interface)によってなされる。タッチパネル４７では、タッチおよびリリース操作、すなわち、１回の操作で所望のコンテンツを選択できるようにされる。
【００４２】
図３は、タッチパネル４７の右側のセンサー部５１ｂに指５２（またはタッチペン）がタッチした時に表示される被選択表示例えばメニュー表示５４を示す。センサー部５１ｂにタッチしたまま指５２を上下させると、指５２とほぼ同じ高さのメニュー項目のみがハイライトされる。図５では、メニュー項目のチャンネルリストがハイライトされている状態を示す。
【００４３】
そして、ハイライトされているメニュー項目の位置で指５２がリリースされると、そのメニュー項目が選択される。選択されたメニュー項目に対応する下位階層の画面が表示される。図３では、省略しているが、メニュー表示５４が表示される場合に、タッチパネル４７の表示・センサー部５１ａには、２次ディスプレイ３のＬＣＤ４６の画像が表示されている。
【００４４】
なお、指５２の位置がセンサー部５１ｂ上であるが、横にメニュー項目が無い位置の場合には、メニュー項目がハイライトされない。すなわち、６個のメニュー項目が配列された範囲以外の上または下側の領域にタッチした時には、隣接するボタンがないので、どのボタンもハイライトされない。この状態で、センサー部５１ｂから指を離した場合には、選択行為がキャンセルされたものと判断され、処理が終了し、状態が変化しないで、メニュー表示５４の表示が継続する。
【００４５】
さらに、指５２をＬＣＤ４６の表示面とほぼ等しい大きさの表示・センサー部５１ａにずらした場合には、選択行為がキャンセルされたものと判断され、処理が終了し、メニュー表示５４の表示が消える。この場合は、その後に指５２をタッチパネル４７から離しても状態が変化しない。
【００４６】
図４は、「テレビチャンネルリスト」のメニュー項目が選択された場合の表示５５の一例である。地上波、ＢＳ、ＣＳ、入力（ビデオ１〜ビデオ４）のチャンネルがＬＣＤ４６に表示され、タッチパネル４７の表示・センサー部５１ａによって、所望のチャンネルの選択が可能とされている。図４のチャンネルリストは、例えば１次ディスプレイ２に表示されるものを示すリストの表示である。
【００４７】
図５は、「チャンネルリスト」のメニュー項目が選択された場合の表示５６の一例である。これは、２次ディスプレイ３で視聴可能な全てのコンテンツのリストを示している。図４に示されているテレビジョン放送のコンテンツを視聴するためのテレビジョンのチャンネルおよびビデオ入力に加えて、インターネットを介して受信されるニュース、ブロードバンドを介して受信されるストリーミングコンテンツ等のチャンネルがＬＣＤ４６に表示され、タッチパネル４７の表示・センサー部５１ａによって、所望のチャンネルの選択が可能とされている。
【００４８】
図５の表示５６の例のように、２次ディスプレイ３のＬＣＤ４６上に受信可能なソースの全てのリストを一元表示することによって、テレビジョン放送およびインターネットを区別することなく、一つの選択操作によって所望のコンテンツを選択できる。言い換えると、放送コンテンツと、動画や静止画等の画像および音声を含んだネットワーク配信コンテンツとをシームレスに選択することが可能となる。
【００４９】
図６は、「ＴＶリモコン」のメニュー項目が選択された場合の表示５７の一例である。ＬＣＤ４６の画面にリモコン用のボタンが表示され、タッチパネル４７の表示・センサー部５１ａにおいて、所望のボタンを押すことによって、１次ディスプレイ２およびメディアレシーバ５を制御することが可能とされている。リモコン用のボタンは、テンキー、音量増減、チャンネル切換等のボタンである。このように、２次ディスプレイ３がリモートコントロールのコマンダとしての機能を持つことによって、別個にコマンダを用意する必要がなく、コマンダが家庭内で増えすぎることを防止できる。なお、１次ディスプレイ２のリモートコントロール以外に録画機器等のＡＶ機器のリモートコントロールのモードを用意しても良い。
【００５０】
図示を省略するが、「メモリスティック（商品名）」のメニュー項目が選択された場合、「インターネット」のメニュー項目が選択された場合の表示、並びに「セットアップ」のメニュー項目が選択された場合に応じた表示がＬＣＤ４６上に表示される。
【００５１】
上述した２次ディスプレイ３に表示されるメニュー画面、チャンネルリストの画面、リモートコントロールのコマンダ等のＧＵＩ用の操作画面は、一例であって、他の構成が可能である。一実施形態では、インターネットに接続可能なシステムであるので、ユーザの嗜好に合わせて好みのＧＵＩ用の操作画面をシステム専用のサービス用のサイトからダウンロードすることが可能とされている。ネットワーク以外にＣＤ−ＲＯＭ、ＤＶＤ、メモリカード等の記録媒体によって好みのＧＵＩ用の操作画面を２次ディスプレイ３を制御するコントローラにインストールすることようにしても良い。さらに、ＧＵＩ用の操作画面のバージョンアップに対応することが可能とされて。このようにＧＵＩ用の操作画面をユーザの好みに合わせて変更することによって、機器を買い換えることなく、ユーザにとって最も利用し易いＧＵＩが提供され，操作性を向上できる。
【００５２】
この発明は、上述したこの発明の一実施形態等に限定されるものでは無く、この発明の要旨を逸脱しない範囲内で様々な変形や応用が可能である。例えば２次ディスプレイ３のカメラ部で撮影した画像信号を１次ディスプレイを経由しないで無線ＬＡＮを介してインターネット上に送出しても良い。
【符号の説明】
【００５３】
２・・・１次ディスプレイ、３・・・２次ディスプレイ、４・・・クレードル、５・・・メディアレシーバ、１１・・・アクセスポイント、１２・・・カメラ部、２２ａ・・・メインチューナ、２２ｂ・・・サブチューナ、２３・・・ディジタルチューナ、２８・・・システムコントローラ、４３・・・システムコントローラ、４６・・・ＬＣＤ、４７・・タッチパネル、５１ａ・・・表示・センサー部、５１ｂ・・・センサー部、５２・・・指、５３・・・被選択表示、５４・・・メニュー表示
【図１】
2010263636.tif 000003
【図２】
2010263636.tif 000004
【図３】
2010263636.tif 000005
【図４】
2010263636.tif 000006
【図５】
2010263636.tif 000007
【図６】
2010263636.tif 000008